(57)【要約】【課題】任意の個数のユニットを強固に一体に固定できるユニット連結部材、スピーカーユニット、およびアレイスピーカーを提供する。【解決手段】ユニット連結部材３０は、正面が同じ方向に向くように２つのスピーカーユニット１０を連結する。ユニット連結部材３０は、２つのスピーカーユニット１０が配列された状態で、隣接する２つの第１側壁１５を連結する第１連結部３３と、２つのスピーカーユニット１０が配列された状態で、第１側壁１５とは異なる２つの第２側壁を連結する第２連結部と、第１連結部３３と第２連結部とを結合する結合部３６とを備える。【選択図】図２
2019145907.tif 000002
【特許請求の範囲】
【請求項１】
正面が同じ方向に向くように２つのユニットを連結するユニット連結部材であって、
２つの前記ユニットが配列された状態で、隣接する２つの第１側壁を連結する第１連結部と、
２つの前記ユニットが配列された状態で、前記第１側壁とは異なる隣接する２つの第２側壁を連結する第２連結部と、
前記第１連結部と前記第２連結部とを結合する結合部とを備える
ユニット連結部材。
【請求項２】
２つの前記ユニットにおいて、前記ユニットの正面の後側であって前記第１連結部により連結される部分から前記第２連結部により連結される部分までの範囲の少なくとも一箇所で２つの前記ユニットを連結する第３連結部をさらに備え、
前記結合部は、前記第１連結部と前記第２連結部と前記第３連結部とを結合する
請求項１に記載のユニット連結部材。
【請求項３】
前記第３連結部は、２つのユニットの後壁を連結する
請求項２に記載のユニット連結部材。
【請求項４】
前記第１連結部と、前記第２連結部と、前記第１連結部と前記第２連結部とを繋ぐ架橋部とを有する第１部品と、前記第３連結部を有する第２部品と、を含み、
前記第１部品と前記第２部品とは分離可能に接続される
請求項２または３に記載のユニット連結部材。
【請求項５】
前記ユニットは、スピーカーユニットまたはランプユニットである
請求項１〜４のいずれか一項に記載のユニット連結部材。
【請求項６】
連結可能なスピーカーユニットであって、
ホーンと、音を形成するドライバと、前記ホーン及び前記ドライバを収容するケースとを備え、
前記ケースは、前記スピーカーユニットの配列方向と前記スピーカーユニットの前後方向との両方向に直交する方向に配列される第１側壁及び第２側壁と、正面の反対側にあり前記第１側壁及び前記第２側壁に繋がる後壁とを有し、
前記第１側壁は、前記配列方向に並べられる２つの被締結部を有し、
前記第２側壁は、前記配列方向に並べられる２つの被締結部を有し、
前記後壁は、前記配列方向に並べられる２つの被締結部を有する
スピーカーユニット。
【請求項７】
一列に配列される複数のスピーカーユニットと、請求項１〜請求項５のいずれか一項に記載のユニット連結部材を備える
アレイスピーカー。
【発明の詳細な説明】
【技術分野】
【０００１】
本発明は、複数のユニットを一体にするユニット連結部材、一体に連結されるスピーカーユニット、及びアレイスピーカーに関する。
【背景技術】
【０００２】
複数のユニットを一体にする技術として、例えば、特許文献１に記載の技術が知られている。特許文献１に記載の技術は、複数のスピーカーユニットを一体にする。
特許文献１に記載の技術では、枠（同文献では、ホーン前部保持枠）及び一対のフレーム（同文献では、ホーン後部保持部材）により、複数のスピーカーユニットを一体に固定する。枠は、一列に並べられた複数のホーンにおいて、前部を取り囲み、複数のホーンの前部を固定する。一対のフレームは、一列に並べられた複数のホーンにおいて、複数のホーンの後部を挟持する。
【先行技術文献】
【特許文献】
【０００３】
【特許文献１】特開２０１４−１７７８０号公報
【発明の概要】
【発明が解決しようとする課題】
【０００４】
ところで、アレイスピーカーを構成するスピーカーユニットの個数は、スピーカーユニットの性能、アレイスピーカーの使用目的等によって異なる。例えば、所定地域の所定エリアにアレイスピーカーで放送を伝える場合、エリアの大きさによって、スピーカーユニットの個数が設定される。一方、アレイスピーカーを構成する複数のスピーカーユニットの配置がずれ、各スピーカーユニットの向きが異なるとアレイスピーカーの性能（音の伝達距離）が低下する虞がある。このため、複数のスピーカーユニットは強固に固定される。
【０００５】
しかし、従来技術のように、枠体を用いて複数のスピーカーユニットを強固に固定すると、アレイスピーカーを構成するスピーカーユニットの個数を変更し難い。また、枠体で複数のスピーカーユニットを固定する場合、アレイスピーカー毎に専用の枠が必要となる。このような事情は、複数のランプユニットからなる照明装置についても、同様に存在する。
【０００６】
そこで、任意の個数のユニットを強固に一体に固定できるユニット連結部材、スピーカーユニット、およびアレイスピーカーを提供する。
【課題を解決するための手段】
【０００７】
（１）上記課題を解決するユニット連結部材は、正面が同じ方向に向くように２つのユニットを連結するユニット連結部材であって、２つの前記ユニットが配列された状態で、隣接する２つの第１側壁を連結する第１連結部と、２つの前記ユニットが配列された状態で、前記第１側壁とは異なる隣接する２つの第２側壁を連結する第２連結部と、前記第１連結部と前記第２連結部とを結合する結合部とを備える。
【０００８】
この構成によれば、２つのユニットは、少なくとも２つの連結部により、少なくとも２か所で連結され、かつ、少なくとも２つの連結部は結合部により結合される。この構造により、任意の個数のユニットを強固に一体に固定できる。
【０００９】
（２）上記ユニット連結部材において、２つの前記ユニットにおいて前記ユニットの正面の後側であって前記第１連結部により連結される部分から前記第２連結部により連結される部分までの範囲の少なくとも一箇所で２つの前記ユニットを連結する第３連結部をさらに備え、前記結合部は、前記第１連結部と前記第２連結部と前記第３連結部とを結合する。
【００１０】
この構成によれば、２つのユニットは、少なくとも３つの連結部により、少なくとも３か所で連結される、かつ、少なくとも３つの連結部は結合部により結合される。この構造により、任意の個数のユニットを強固に一体に固定できる。
【００１１】
（３）上記ユニット連結部材において、前記第３連結部は、２つのユニットの後壁を連結する。この構成によれば、２つのユニットが、両側壁から離れた後壁で締結されるため、２つのユニットの捩じれが抑制される。
【００１２】
（４）上記ユニット連結部材において、前記第１連結部と、前記第２連結部と、前記第１連結部と前記第２連結部とを繋ぐ架橋部とを有する第１部品と、前記第３連結部を有する第２部品と、を含み、前記第１部品と前記第２部品とは分離可能に接続される。この構成によれば、ユニット連結部材は、第１部品と第２部品とにより構成されており、第１部品と第２部品との配置関係を調整できる。これにより、２つのユニットの配置関係の調整が可能である。
【００１３】
（５）上記ユニット連結部材において、前記ユニットは、スピーカーユニットまたはランプユニットである。この構成によれば、スピーカーユニットまたはランプユニットを連結できる。
【００１４】
（６）上記課題を解決するスピーカーユニットは、連結可能なスピーカーユニットであって、ホーンと、音を形成するドライバと、前記ホーン及び前記ドライバを収容するケースとを備え、前記ケースは、前記スピーカーユニットの配列方向と前記スピーカーユニットの前後方向との両方向に直交する方向に配列される第１側壁及び第２側壁と、正面の反対側にあり前記第１側壁及び前記第２側壁に繋がる後壁とを有し、前記第１側壁は、前記配列方向に並べられる２つの被締結部を有し、前記第２側壁は、前記配列方向に並べられる２つの被締結部を有し、前記後壁は、前記配列方向に並べられる２つの被締結部を有する。
【００１５】
この構成によれば、２つのスピーカーユニットにおいて、一方の第１側壁の被締結部と他方の第１側壁の被締結部とを締結部材で締結可能であり、一方の第２側壁の被締結部と他方の第２側壁の被締結部とを締結部材で締結可能であり、一方の後壁の被締結部と他方の後壁の被締結部とを締結部材で締結可能である。このように、２つのスピーカーユニットは、少なくとも３か所で連結されるため、任意の個数のスピーカーユニットを強固に一体に固定できる。
【００１６】
（７）上記課題を解決するアレイスピーカーは、一列に配列される複数のスピーカーユニットと、上記ユニット連結部材を備える。
この構成によれば、隣接する２つのユニットが３か所で連結され、かつ少なくとも３つの連結部は結合部により結合される。このため、スピーカーユニットは強固に一体に固定され、かつ、連結されているスピーカーユニットの個数を容易に変更できる。
【発明の効果】
【００１７】
上記ユニット連結部材及びスピーカーユニットは、任意の個数で複数のユニットを一体にできる。アレイスピーカーは、スピーカーユニットの個数を変更できる。
【図面の簡単な説明】
【００１８】
【図１】アレイスピーカーの斜視図。
【図２】連結された２つのスピーカーユニットの斜視図。
【図３】図２のＩＩＩ−ＩＩＩ線に沿うスピーカーユニットの断面図。
【図４】後からみたケースの斜視図。
【図５】前からみたケースの斜視図。
【図６】第１締結部で締結される部分の断面図。
【図７】ユニット連結部材の斜視図。
【図８】第１部品の斜視図。
【図９】第２部品の斜視図。
【発明を実施するための形態】
【００１９】
図１〜図９を参照して、アレイスピーカー１について説明する。
以下の説明では、アレイスピーカー１において正面が向く方向を「前方」といい、前方の反対方向を「後方」という。前方に沿う方向であって前後を区別しない方向を「前後方向ＤＹ」という。スピーカーユニット１０の配列の方向を「配列方向ＤＺ」という。前後方向ＤＹと配列方向ＤＺとのいずれにも直交する方向を「左右方向ＤＸ」という。
【００２０】
以下では、屋外または公共空間に設置されるアレイスピーカー１について説明する。公共空間とは、ドーム、コンサートホール、駅のホーム等を示す。アレイスピーカー１は、公衆に情報（例えば、災害報知等）を伝達する。広範囲に情報を伝達するというアレイスピーカー１の利用目的から、アレイスピーカー１を構成するスピーカーユニット１０は、高出力である。このため、アレイスピーカー１は全体として大きくなる。したがって、風の影響を受け易い。また、振動を直接受け易い。例えば、アレイスピーカー１の設置近くに大型車両が通過すると、その振動が直接アレイスピーカー１に伝達される。ドームやコンサートホールでは、高い場所にアレイスピーカー１が設置されることがあることから、アレイスピーカー１が大きく揺れる場合もある。
【００２１】
アレイスピーカー１を構成するスピーカーユニット１０のそれぞれの配置がずれて、それぞれの向きが異なると、アレイスピーカー１から出る音の位相がずれたり、音の伝播方向の一致性が崩れたりして、アレイスピーカー１の伝播性能が低下する。このようなことから、各スピーカーユニット１０は強固に一体に固定される。
【００２２】
図１に示されるように、例えば、アレイスピーカー１は、取付部材４０を介して支柱４１に取り付けられる。また、アレイスピーカー１は、建物の外壁に取り付けられたり、アレイスピーカー１専用の支持構造体に固定されたりする。
【００２３】
アレイスピーカー１は、複数のスピーカーユニット１０と、スピーカーユニット１０を連結するユニット連結部材３０とを備える。
複数のスピーカーユニット１０は、正面が同じ方向を向き、かつ正面が面一となるように、固定される。アレイスピーカー１において配列数は限定されず、一列であったり、二列であったりする。
【００２４】
図２に示されるように、ユニット連結部材３０は、アレイスピーカー１において隣接する２つのスピーカーユニット１０を、両スピーカーユニット１０，１０の配置関係（特に、各スピーカーユニットの向き）が変わらないように、連結する。ユニット連結部材３０の構造については後で詳述する。
【００２５】
図３に示されるように、スピーカーユニット１０は、例えば、ホーン型のスピーカーとして構成される。具体的には、スピーカーユニット１０は、ホーン１１と、音を形成するドライバ１２と、ホーン１１及びドライバ１２を収容するケース１３とを備える。
【００２６】
ホーン１１は、折り畳み構造を有する。ホーン１１は、ドライバ１２から出力される音を前方に導く第１ホーン１１ａと、第１ホーン１１ａに導かれた音を一旦後方に導く第２ホーン１１ｂと、第２ホーン１１ｂに導かれた音を前方に導く第３ホーン１１ｃとを有する。音道の断面積（音の伝達方向に沿う線に垂直な面の面積）は、音の伝播の下流に向かって徐々に拡大する。第２ホーン１１ｂは、第１ホーン１１ａを前から覆い、後方に開口する。第３ホーン１１ｃは、第２ホーン１１ｂを後方から覆い、前方に開口する。
【００２７】
図４及び図５に示されるように、ケース１３は、正面が開口する箱型に構成される。ケース１３は、第１側壁１５と、第２側壁１６と、第３側壁１７と、第４側壁１８と、開口部１４の反対側の後壁１９とを有する。ケース１３は、例えば樹脂または金属で形成される。
【００２８】
第１側壁１５及び第２側壁１６は、左右方向ＤＸに配列され、ホーン１１が収容される空間を介して互いに対向するように配置される。
第１側壁１５は、本実施形態では、スピーカーユニット１０を正面からみて右側の壁である。第２側壁１６は、本実施形態では、スピーカーユニット１０を正面からみて左側の壁である。
【００２９】
第１側壁１５は、前後方向ＤＹに延びる第１構成壁１５ａと、配列方向ＤＺにおいて第１構成壁１５ａを挟むように配置される第２構成壁１５ｂ及び第３構成壁１５ｃを有する。
【００３０】
第２構成壁１５ｂ及び第３構成壁１５ｃは、左右方向ＤＸにおいて、第１構成壁１５ａよりも中心（左右方向ＤＸにおける中心）側に配置される。第２構成壁１５ｂには、後述の第１連結部３３の第１締結部３３ａが締結される第１被締結部２１ａが設けられる。第３構成壁１５ｃには、後述の第１連結部３３の第２締結部３３ｂが締結される第２被締結部２１ｂが設けられる。
【００３１】
アレイスピーカー１の隣接する２つのスピーカーユニット１０において、一方のスピーカーユニット１０の第１被締結部２１ａと他方のスピーカーユニット１０の第２被締結部２１ｂとは、隣り合うように配置される。
【００３２】
第２側壁１６は、第１側壁１５に準じた構造を有する。
第２側壁１６は、第１側壁１５の各構成壁に準じた第１構成壁１６ａ、第２構成壁１６ｂ、及び第３構成壁１６ｃを有する。
【００３３】
第２構成壁１６ｂには、後述の第２連結部３４の第１締結部３４ａが締結される第１被締結部２２ａが設けられる。第３構成壁１６ｃには、後述の第２連結部３４の第２締結部３４ｂが締結される第２被締結部２２ｂが設けられる。
【００３４】
アレイスピーカー１の隣接する２つのスピーカーユニット１０において、一方のスピーカーユニット１０の第１被締結部２２ａと他方のスピーカーユニット１０の第２被締結部２２ｂとは、隣り合うように配置される。
【００３５】
第３側壁１７及び第４側壁１８は、ホーン１１が収容される空間を介して互いに対向するように配置される。第３側壁１７及び第４側壁１８は、スピーカーユニット１０が連結されてアレイスピーカー１が構成された状態において、配列方向ＤＺに配列される。第３側壁１７は、本実施形態では、スピーカーユニット１０を正面からみて上側の壁である。第４側壁１８は、スピーカーユニット１０を正面からみて下側の壁である。
【００３６】
後壁１９は、溝１９ａを有する。溝１９ａは、スピーカーユニット１０が連結されてアレイスピーカー１が構成された状態において、配列方向ＤＺに延びる。溝１９ａは、スピーカーユニット１０が連結されてアレイスピーカー１が構成された状態において、下側の第３連結部３５の第３締結部３５ａと、上側の第３連結部３５の第４締結部３５ｂとが収容可能に構成されている。
【００３７】
溝１９ａの底壁１９ｂには、第３被締結部２３ａと、第４被締結部２３ｂとが設けられる。第３被締結部２３ａと、第４被締結部２３ｂとは、配列方向ＤＺに並べられる。第３被締結部２３ａには、後述の第３連結部３５の第３締結部３５ａが締結される。第４被締結部２３ｂには、後述の第３連結部３５の第４締結部３５ｂが締結される。
【００３８】
図３及び図５に示されるように、ケース１３と第３ホーン１１ｃとの間の隙間には、３つの締結補助部材（以下、区別する場合、「第１締結補助部材２５」〜「第３締結補助部材２７」という。）が配置されている。締結補助部材は、ケース１３の被締結部２１ａ，２１ｂ，２２ａ，２２ｂ，２３ａ，２３ｂとユニット連結部材３０の連結部３３，３４，３５との締結を補助する。締結補助部材は、鉄またはアルミニウム合金等の金属で形成される。
【００３９】
第１締結補助部材２５は、第１側壁１５の内面において第１被締結部２１ａ及び第２被締結部２１ｂに接触するように固定される。第２締結補助部材２６は、第２側壁１６の内面において第１被締結部２２ａ及び第２被締結部２２ｂの接触するように固定される。第３締結補助部材２７は、後壁１９の内面において、第３被締結部２３ａ及び第４被締結部２３ｂの接触するように固定される。
【００４０】
図６を参照して、ケース１３とユニット連結部材３０との締結構造を以下に説明する。ここでは、第１締結部３３ａと第１側壁１５の第１被締結部２１ａとの締結構造を説明する。図６は、第１締結部３３ａと第１側壁１５の第１被締結部２１ａとの締結部分について、前後方向ＤＹに沿う線に垂直な断面である。
【００４１】
第１締結補助部材２５と第１締結部３３ａとの間に第１側壁１５の第１被締結部２１ａが配置される。ボルト５０は、第１締結補助部材２５側から、第１側壁１５の第１被締結部２１ａを経て第１締結部３３ａに至るように、挿通される。第１締結補助部材２５には、ボルト５０のヘッドの回転防止のための一対のリブ２５ａ（図５参照）が設けられている。そして、第１締結部３３ａ側から出るボルト５０の先端部にナット５１がねじ入れられる。ナット５１の締め付けにより、第１側壁１５の第１被締結部２１ａと第１締結部３３ａとが締結される。
【００４２】
図７〜図９を参照して、ユニット連結部材３０を説明する。
ユニット連結部材３０は、正面が同じ方向に向くように２つのスピーカーユニット１０を連結する。
【００４３】
ユニット連結部材３０は、第１連結部３３と、第２連結部３４と、第３連結部３５と、結合部３６とを有する。
第１連結部３３は、２つのスピーカーユニット１０が配列された状態で、隣接する２つの第１側壁１５を連結する。具体的には、第１連結部３３は、第１締結部３３ａ及び第２締結部３３ｂを有する。
【００４４】
第１締結部３３ａは、隣接する２つのスピーカーユニット１０において、一方のスピーカーユニット１０の第１側壁１５にある第１被締結部２１ａに、締結部材により、締結される。第２締結部３３ｂは、隣接する２つのスピーカーユニット１０において、他方のスピーカーユニット１０の第１側壁１５にある第２被締結部２１ｂに、締結部材により、締結される。このように、第１締結部３３ａが一方のスピーカーユニット１０の第１側壁１５に締結されること、かつ第２締結部３３ｂが他方のスピーカーユニット１０の第１側壁１５に締結されることにより、２つのスピーカーユニット１０の第１側壁１５同士が連結される。
【００４５】
第２連結部３４は、２つのスピーカーユニット１０が配列された状態で、隣接する２つの第２側壁１６を連結する。第２連結部３４の連結構造は、第１連結部３３の連結構造に準ずる。第２連結部３４は、第１締結部３４ａ及び第２締結部３４ｂを有する。すなわち、第１締結部３４ａが一方のスピーカーユニット１０の第２側壁１６に締結されること、かつ第２締結部３４ｂが他方のスピーカーユニット１０の第２側壁１６に締結されることにより、２つのスピーカーユニット１０の第２側壁１６同士が連結される。
【００４６】
第３連結部３５は、２つのスピーカーユニット１０において、前後方向ＤＹにおいて、スピーカーユニット１０の後側であって第１連結部３３により連結される部分から第２連結部３４により連結される部分までの範囲の少なくとも一箇所で２つのスピーカーユニット１０を連結する。
【００４７】
本実施形態では、第３連結部３５は、２つのスピーカーユニット１０が配列された状態で、隣接する２つの後壁１９を連結する。第３連結部３５は、２つのスピーカーユニット１０の後壁１９に渡るように構成されている。
【００４８】
具体的には、第３連結部３５は、第３締結部３５ａ及び第４締結部３５ｂを有する。
第３締結部３５ａは、隣接する２つのスピーカーユニット１０において、一方のスピーカーユニット１０の後壁１９にある第３被締結部２３ａに、締結部材により、締結される。第４締結部３５ｂは、隣接する２つのスピーカーユニット１０において、他方のスピーカーユニット１０の後壁１９にある第４被締結部２３ｂに、締結部材により、締結される。このように、第３締結部３５ａが一方のスピーカーユニット１０の後壁１９に締結されること、かつ第４締結部３５ｂが他方のスピーカーユニット１０の後壁１９に締結されることにより、２つのスピーカーユニット１０の後壁１９同士が連結される。
【００４９】
結合部３６は、第３連結部３５に交差しかつ第３連結部３５に結合する本体部３６ａと、本体部３６ａの第１側壁１５側の端部から第１連結部３３に延びる第１腕部３６ｂと、本体部３６ａの第２側壁１６側の端部から第２連結部３４に延びる第２腕部３６ｃとを有する。
【００５０】
結合部３６は、第１連結部３３と第２連結部３４と第３連結部３５とを結合し、第１連結部３３と第２連結部３４と第３連結部３５との位置関係を固定する。ユニット連結部材３０において、第１連結部３３と第２連結部３４と第３連結部３５との位置関係が固定されていることにより、ユニット連結部材３０の第１連結部３３と第２連結部３４と第３連結部３５とにより連結される各部位の位置関係が固定される。具体的には隣接する２つのスピーカーユニット１０において、第１連結部３３により連結される２つの第１側壁１５と、第２連結部３４により連結される２つの第２側壁１６と、第３連結部３５により連結される２つの後壁１９との位置関係は、ユニット連結部材３０を介して固定される。
【００５１】
このような固定によって、２つのスピーカーユニット１０において、前後方向ＤＹ、左右方向ＤＸ、及び配列方向ＤＺにおける２つのスピーカーユニット１０の位置ずれが抑制される。また、２つのスピーカーユニット１０において、一方が他方に対して左右方向ＤＸに沿う線回りに回転すること、一方が他方に対して配列方向ＤＺに沿う線回りに回転すること（捩じれ）、また、一方が他方に対して前後方向ＤＹに沿う線回りに回転することが抑制される。
【００５２】
図８及び図９に示されるように、好ましくは、ユニット連結部材３０は、複数の部品により構成される。
例えば、ユニット連結部材３０は、第１部品３１と、第２部品３２とを備える。第１部品３１及び第２部品３２は、鉄またはアルミニウム合金等の金属で形成される。
【００５３】
第１部品３１は、第１連結部３３と第２連結部３４と架橋部３７とを有する。架橋部３７は、第１連結部３３と第２連結部３４とを繋ぐ。架橋部３７には、架橋部３７の補強のため（すなわち、結合部３６の補強）、第１連結部３３側から第２連結部３４側に延びる一対のリブ３７ａが設けられる。
【００５４】
第２部品３２は、第３連結部３５を有する。第２部品３２は、さらに、第３連結部３５に交差するように延びる接続部３８を有する。接続部３８を介して、第１部品３１と第２部品３２とが接続される。具体的には、第２部品３２の接続部３８と第１部品３１の架橋部３７とが接続される。ここで、接続は、ボルト等による締結、溶接、ろう付けを含む。好ましくは、第１部品３１と第２部品３２とは分離可能に接続される。具体的には、第１部品３１と第２部品３２とは、締結部材により、接続される。このように第１部品３１と第２部品３２とが接続されたものがユニット連結部材３０であり、第１部品３１の架橋部３７と第２部品３２の接続部３８とを含む部分が、上述の結合部３６に相当する。
【００５５】
実施形態の作用を説明する。
ユニット連結部材３０は、隣接する２つのスピーカーユニット１０を３か所で連結する。また、２つのスピーカーユニット１０において、このように連結された３つの連結部分（連結部３３，３４，３５で連結された部分）は、結合部３６を介して結合される。この構造により、２つのスピーカーユニット１０における３つの連結部分は、位置関係が固定されるようになり、２つのスピーカーユニット１０が強固に固定され、２つのスピーカーユニット１０の位置関係はずれ難くなる。また、ユニット連結部材３０は２つのスピーカーユニット１０を連結するものであるため、連結するスピーカーユニット１０の個数を任意に変更できる。
【００５６】
実施形態の効果を説明する。
（１）ユニット連結部材３０は、少なくとも第１連結部３３と第２連結部３４とを結合する結合部３６とを備える。第１連結部３３は、２つのスピーカーユニット１０が配列された状態で、隣接する２つの第１側壁１５を連結する。第２連結部３４は、２つのスピーカーユニット１０が配列された状態で、第１側壁１５とは異なる隣接する２つの第２側壁１６を連結する。この構成によれば、２つのユニットは、少なくとも２つの連結部により、少なくとも２か所で連結され、かつ、少なくとも２つの連結部は結合部により結合される。この構造により、任意の個数のユニットを強固に一体に固定できる。
【００５７】
（２）好ましくは、ユニット連結部材３０は、第３連結部３５を更に備える。結合部３６は、第１連結部３３と、第２連結部３４と、第３連結部３５とを連結する。第３連結部３５は、２つのスピーカーユニット１０において、スピーカーユニット１０の後側であって第１連結部３３により連結される部分から第２連結部３４により連結される部分までの範囲の少なくとも一箇所で２つのスピーカーユニット１０を連結する。
【００５８】
この構成によれば、２つのスピーカーユニット１０は、３つの連結部３３，３４，３５により３か所で連結され、かつ、３つの連結部３３，３４，３５は、結合部３６により結合される。この構造により、任意の個数のスピーカーユニット１０をさらに強固に一体に固定できる。
【００５９】
（３）ユニット連結部材３０において、第３連結部３５は、２つのスピーカーユニット１０の後壁１９を連結する。この構成によれば、２つのスピーカーユニット１０が、両側壁１５，１６から離れた後壁１９で締結されるため、第３連結部３５が第１側壁１５同士または第２側壁１６同士を締結する場合に比べて、２つのスピーカーユニット１０の捩じれが抑制される。
【００６０】
（４）ユニット連結部材３０において、第１連結部３３と第２連結部３４と架橋部３７とを有する第１部品３１と、第３連結部３５を有する第２部品３２とを含み、第１部品３１と第２部品３２とは分離可能に接続される。この構成によれば、ユニット連結部材３０は、第１部品３１と第２部品３２とにより構成されており、第１部品３１と第２部品３２との配置関係を調整できる。これにより、２つのスピーカーユニット１０の配置関係の調整が可能である。
【００６１】
（５）スピーカーユニット１０は、次のケース１３を備える。
ケース１３は、左右方向ＤＸに配列される第１側壁１５と第２側壁１６と後壁１９とを有する。第１側壁１５は、配列方向ＤＺに並べられる第１被締結部２１ａ及び第２被締結部２１ｂを有する。第２側壁１６は、配列方向ＤＺに並べられる第１被締結部２２ａ及び第２被締結部２２ｂを有する。後壁１９は、配列方向ＤＺに並べられる第３被締結部２３ａ及び第４被締結部２３ｂを有する。
【００６２】
この構成によれば、２つのスピーカーユニット１０において、一方の第１側壁１５の第１被締結部２１ａと他方の第１側壁１５の第２被締結部２１ｂとを締結部材で締結可能である。一方の第２側壁１６の第１被締結部２２ａと他方の第２側壁１６の第２被締結部２２ｂとを締結部材で締結可能である。一方の後壁１９の第３被締結部２３ａと他方の後壁１９の第４被締結部２３ｂとを締結部材で締結可能である。このように、２つのスピーカーユニット１０は、少なくとも３か所で連結されるため、任意の個数のスピーカーユニット１０を強固に一体に固定できる。
【００６３】
（６）アレイスピーカー１は、一列に配列される複数のスピーカーユニット１０と、上記構成のユニット連結部材３０を備える。この構成によれば、一例では、隣接する２つのユニットは、２つの連結部３３，３４により少なくとも２か所で連結される。また、２つの連結部３３，３４は結合部３６により結合されている。この構造により、スピーカーユニット１０は強固に一体に固定され、かつ、連結されているスピーカーユニット１０の個数を容易に変更できる。他の例では、隣接する２つのユニットは、３つの連結部３３，３４，３５により３か所で連結される。また、３つの連結部３３，３４，３５は結合部３６により結合されている。この構造により、スピーカーユニット１０はさらに強固に一体に固定され、かつ、連結されているスピーカーユニット１０の個数を容易に変更できる。
【００６４】
＜その他の実施形態＞
本実施形態は、以下のように変更して実施することができる。本実施形態及び以下の変更例は、技術的に矛盾しない範囲で互いに組み合わせて実施することができる。
【００６５】
・上記実施形態において、第３締結部３５ａは、２つのスピーカーユニット１０の後壁１９を連結するが、第３締結部３５ａの連結部分は、これに限定されない。例えば、第３締結部３５ａは、２つのスピーカーユニット１０において第１側壁１５の後部同士を連結してもよい。同様に、第３締結部３５ａは、２つのスピーカーユニット１０において第２側壁１６の後部同士を連結してもよい。
【００６６】
・上記実施形態では、ユニット連結部材３０は、１つの第３連結部３５を備えるが、ユニット連結部材３０は、複数の第３連結部３５を備え得る。例えば、ユニット連結部材３０は、上からみて、スピーカーユニット１０の後側（正面の反対側）であって第１連結部３３により連結される部分から第２連結部３４により連結される部分までの範囲において、２つのスピーカーユニット１０を連結する複数の第３連結部３５を備え得る。
【００６７】
・上記実施形態では、複数のスピーカーユニット１０が連結されたアレイスピーカー１を上からみて、結合部３６は、前方に開口する形状、例えば、Ｃ字、Ｕ字、コ字、またはこれらに類似する形状となっているが、結合部３６の形状はこれに限定されない。例えば、上からみて結合部３６は、環状であってもよい。例えば、結合部３６は、四角形、矩形、ロ字状に構成され得る。この場合、結合部３６の前の部分は、ケース１３の前の部分を渡る。また、結合部３６は、２つの部品により構成され得る。例えば、結合部３６は、第１連結部３３と第３連結部３５とを結合する第１結合部品と、第２連結部３４と第３連結部３５とを結合する第２結合部品とを含み、第１結合部品と第２結合部品とは直接または第３連結部３５を介して結合される。第１結合部品及び第２結合部品は、上からみて、Ｌ字、Ｖ字、またはレ字等に構成され得る。
【００６８】
・ユニット連結部材３０が連結する対象物は、スピーカーユニット１０に限られない。ユニット連結部材３０は、例えば、照明用のランプユニットを連結し得る。例えば、ナイター照明用のランプの連結に用いられ得る。
【００６９】
・上記ユニット連結部材３０は、２つの部品で構成されているが、ユニット連結部材３０は、１つの部品により構成してもよい。
【符号の説明】
【００７０】
あ  ＤＹ…前後方向、ＤＸ…左右方向、ＤＺ…配列方向、１…アレイスピーカー、１０…スピーカーユニット、１１…ホーン、１１ａ…第１ホーン、１１ｂ…第２ホーン、１１ｃ…第３ホーン、１２…ドライバ、１３…ケース、１４…開口部、１５…第１側壁、１５ａ…第１構成壁、１５ｂ…第２構成壁、１５ｃ…第３構成壁、１６…第２側壁、１６ａ…第１構成壁、１６ｂ…第２構成壁、１６ｃ…第３構成壁、１７…第３側壁、１８…第４側壁、１９…後壁、１９ａ…溝、１９ｂ…底壁、２１ａ…第１被締結部、２１ｂ…第２被締結部、２２ａ…第１被締結部、２２ｂ…第２被締結部、２３ａ…第３被締結部、２３ｂ…第４被締結部、２５…第１締結補助部材、２５ａ…リブ、２６…第２締結補助部材、２７…第３締結補助部材、３０…ユニット連結部材、３１…第１部品、３２…第２部品、３３…第１連結部、３３ａ…第１締結部、３３ｂ…第２締結部、３４…第２連結部、３４ａ…第１締結部、３４ｂ…第２締結部、３５…第３連結部、３５ａ…第３締結部、３５ｂ…第４締結部、３６…結合部、３６ａ…本体部、３６ｂ…第１腕部、３６ｃ…第２腕部、３７…架橋部、３７ａ…リブ、３８…接続部、４０…取付部材、４１…支柱、５０…ボルト、５１…ナット。
【図１】
2019145907.tif 000003
【図２】
2019145907.tif 000004
【図３】
2019145907.tif 000005
【図４】
2019145907.tif 000006
【図５】
2019145907.tif 000007
【図６】
2019145907.tif 000008
【図７】
2019145907.tif 000009
【図８】
2019145907.tif 000010
【図９】
2019145907.tif 000011